(57)【特許請求の範囲】
【請求項１】
遊技店に配設された端末装置からデビット決済要求を受け付け、該受け付けたデビット決済要求に応答して所定の金融機関のサーバ装置にデビット決済依頼を行う情報処理センタのサーバ装置であって、
前記金融機関の口座残高がなくなった場合に自動借入する借入限度額とデビットカード識別情報を対応づけた借入限度額テーブルと、
前記デビット決済要求に含まれるデビットカード識別情報が前記借入限度額テーブルに登録済みである場合に、該借入限度額テーブルに登録された借入限度額を前記デビット決済要求に含まれる決済要求額に加算した額を新たな決済要求額とするように該デビット決済要求に含まれる決済要求額を変換する決済要求額変換手段と、
前記決済要求額変換手段により変換された変換後の決済要求額を含むデビット決済要求を前記金融機関のサーバ装置に対して行う決済処理手段と
を備えたことを特徴とする情報処理センタのサーバ装置。
【請求項２】
遊技店に配設されたＡＴＭ端末装置から取引要求を受け付け、該受け付けた取引要求に応答して取引処理を行う金融機関のサーバ装置であって、
前記金融機関の口座残高がなくなった場合に自動借入する借入限度額とカード識別情報を対応づけた借入限度額テーブルと、
前記取引要求に含まれるカード識別情報が前記借入限度額テーブルに登録済みである場合に、該借入限度額テーブルに登録された借入限度額を前記取引要求に含まれる取引要求額に加算した額を新たな取引要求額とするように該取引要求に含まれる取引要求額を変換する取引要求額変換手段と、
前記取引要求額変換手段により変換された変換後の取引要求額の取引処理を行う取引処理手段と
を備えたことを特徴とする金融機関のサーバ装置。
【請求項３】
情報処理センタのサーバ装置が遊技店に配設された端末装置からデビット決済要求を受け付け、該受け付けたデビット決済要求に応答して所定の金融機関のサーバ装置にデビット決済依頼を行うデビット決済システムの決済処理方法であって、
前記端末装置が、前記情報処理センタのサーバ装置に対してデビットカード識別情報及び決済要求額を含むデビット決済要求を行うデビット決済要求工程と、
前記情報処理センタのサーバ装置が、前記金融機関の口座残高がなくなった場合に自動借入する借入限度額とデビットカード識別情報を対応づけた借入限度額テーブルに前記デビット決済要求に含まれるデビットカード識別情報が登録済みである場合に、該借入限度額テーブルに登録された借入限度額を前記デビット決済要求に含まれる決済要求額に加算した額を新たな決済要求額とするように該デビット決済要求に含まれる決済要求額を変換する決済要求額変換工程と、
前記情報処理センタのサーバ装置が、前記決済要求額変換工程により変換された変換後の決済要求額を含むデビット決済要求を前記金融機関のサーバ装置に対して行う決済処理工程と
を含んだことを特徴とするデビット決済システムの決済処理方法。
【請求項４】
遊技店に配設されたＡＴＭ端末装置から取引要求を受け付け、該受け付けた取引要求に応答して金融機関のサーバ装置が取引処理を行うＡＴＭシステムの取引処理方法であって、
前記ＡＴＭ端末装置が、前記金融機関のサーバ装置に対してカード識別情報及び取引要求額を含む取引要求を行う取引要求工程と、
前記金融機関のサーバ装置が、前記金融機関の口座残高がなくなった場合に自動借入する借入限度額とカード識別情報を対応づけた借入限度額テーブルに前記取引要求に含まれるカード識別情報が登録済みである場合に、該借入限度額テーブルに登録された借入限度額を前記取引要求に含まれる取引要求額に加算した額を新たな取引要求額とするように該取引要求に含まれる取引要求額を変換する取引要求額変換工程と、
前記金融機関のサーバ装置が、前記取引要求額変換工程により変換された変換後の取引要求額の取引処理を行う取引処理工程と
を含んだことを特徴とするＡＴＭシステムの取引処理方法。
【発明の詳細な説明】
【技術分野】
【０００１】
本発明は、借入機能付カードの利用制限を適正かつ効率良く行うことができる情報処理センタのサーバ装置、金融機関のサーバ装置、デビット決済システムの決済処理方法及びＡＴＭ（Automatic Teller Machine）システムの取引処理方法に関する。
【背景技術】
【０００２】
従来、パチンコ店等の遊技店には、デビットカードと呼ばれる銀行カードを用いてプリペイドカードを購入できるようにするカードシステムが導入されることが多い。ここで、デビットカードを用いた利用を無制限に認めたのでは、遊技に対するのめり込み防止という観点から問題があるため、デビットカードの利用に制限を設ける従来技術が知られている。
【０００３】
例えば、特許文献１には、予めデビットカードで一定期間内に決済可能な利用制限条件を設定しておき、この利用制限条件内であればデビット決済を許容し、この利用制限条件外となった場合にはデビット決済を棄却する技術が開示されている。具体的には、一定期間単位（例えば１日単位）の利用上限金額、限度回数、１回の利用あたりの上限金額及び下限金額等の利用制限条件を設定する点が例示されている。したがって、この特許文献１によれば、例え指定口座の預金残高がデビット決済可能額以上存在したとしても、その預金残高のデビット利用を禁止し、もって遊技客による遊技への過度なのめり込み防止を図ることができる。
【０００４】
ところが、かかる特許文献１では、預金残高が最小デビット決済分に満たない場合を利用制限の対象とはしていない。例えば、預金残高が１００円であり、プリペイドカードの最低購入額が１０００円である場合には、この預金残高でプリペイドカードを購入することはできないため、利用制限の対象外としているのである。
【０００５】
本来は、この特許文献１のように、預金残高が最小デビット決済分に満たない場合を除外したとしても全く問題が生じないが、ある設定額の範囲内で金額を借り入れることができる借入機能付デビットカードの場合には、預金残高をマイナスにしつつプリペイドカードをデビット決済で購入することができるため、この特許文献１では対応できない。
【０００６】
以上の点に鑑みて、本件出願人が出願した特許文献２には、デビット子機から金融機関に対してデビット決済の残高問い合わせがなされた際に、このデビット決済に利用されたデビットカードが借入機能付デビットカードである場合には、そのデビット決済を認めないよう構成したデビットカードシステムが開示されている。
【０００７】
【特許文献１】特開２００２−０００８８９号公報
【特許文献２】特願２００８−０８６６７７号公報
【発明の開示】
【発明が解決しようとする課題】
【０００８】
しかしながら、上記特許文献２のように、デビットカードが借入機能付であるという理由だけでデビット決済を一律に棄却したのでは、その指定口座に十分な預金残高が存在する遊技客を不利に取り扱うことになり、遊技店が適正なデビット決済サービスを提供しているとは言えない。かかる借入機能は、銀行が特定の会員向けに提供する特別なサービスとして付与した機能であるにも係わらず、かかる借入機能を有することを根拠にデビット決済を単純に棄却するのは望ましくない。
【０００９】
このように、単純に借入機能付デビットカードの利用を禁止すると、遊技客に不便を強いるだけではなく、遊技店での売上の損失並びに金融機関での手数料収入の損失をもたらす結果となる。
【００１０】
以上のことから、借入機能付デビットカードによるデビット決済時の利用制限をいかに適正かつ効率良く実現するかが重要な課題となっている。なお、本課題は、カード発行機に併設されたデビット子機を用いてプリペイドカードを直接購入する場合のみならず、遊技店内に配設されたＡＴＭを用いて現金を入手する場合にも同様に生ずる課題である。
【００１１】
本発明は、上述した従来技術による課題（問題点）を解消するためになされたものであり、借入機能付カードの利用制限を適正かつ効率良く行うことができる情報処理センタのサーバ装置、金融機関のサーバ装置、デビット決済システムの決済処理方法及びＡＴＭシステムの取引処理方法を提供することを目的とする。
【課題を解決するための手段】
【００１２】
上述した課題を解決し、目的を達成するために、本発明は、遊技店に配設された端末装置からデビット決済要求を受け付け、該受け付けたデビット決済要求に応答して所定の金融機関のサーバ装置にデビット決済依頼を行う情報処理センタのサーバ装置であって、前記金融機関の口座残高がなくなった場合に自動借入する借入限度額とデビットカード識別情報を対応づけた借入限度額テーブルと、前記デビット決済要求に含まれるデビットカード識別情報が前記借入限度額テーブルに登録済みである場合に、該借入限度額テーブルに登録された借入限度額を前記デビット決済要求に含まれる決済要求額に加算した額を新たな決済要求額とするように該デビット決済要求に含まれる決済要求額を変換する決済要求額変換手段と、前記決済要求額変換手段により変換された変換後の決済要求額を含むデビット決済要求を前記金融機関のサーバ装置に対して行う決済処理手段とを備えたことを特徴とする。
【００１４】
また、本発明は、遊技店に配設されたＡＴＭ端末装置から取引要求を受け付け、該受け付けた取引要求に応答して取引処理を行う金融機関のサーバ装置であって、前記金融機関の口座残高がなくなった場合に自動借入する借入限度額とカード識別情報を対応づけた借入限度額テーブルと、前記取引要求に含まれるカード識別情報が前記借入限度額テーブルに登録済みである場合に、該借入限度額テーブルに登録された借入限度額を前記取引要求に含まれる取引要求額に加算した額を新たな取引要求額とするように該取引要求に含まれる取引要求額を変換する取引要求額変換手段と、前記取引要求額変換手段により変換された変換後の取引要求額の取引処理を行う取引処理手段とを備えたことを特徴とする。
【００１６】
また、本発明は、情報処理センタのサーバ装置が遊技店に配設された端末装置からデビット決済要求を受け付け、該受け付けたデビット決済要求に応答して所定の金融機関のサーバ装置にデビット決済依頼を行うデビット決済システムの決済処理方法であって、前記端末装置が、前記情報処理センタのサーバ装置に対してデビットカード識別情報及び決済要求額を含むデビット決済要求を行うデビット決済要求工程と、前記情報処理センタのサーバ装置が、前記金融機関の口座残高がなくなった場合に自動借入する借入限度額とデビットカード識別情報を対応づけた借入限度額テーブルに前記デビット決済要求に含まれるデビットカード識別情報が登録済みである場合に、該借入限度額テーブルに登録された借入限度額を前記デビット決済要求に含まれる決済要求額に加算した額を新たな決済要求額とするように該デビット決済要求に含まれる決済要求額を変換する決済要求額変換工程と、前記情報処理センタのサーバ装置が、前記決済要求額変換工程により変換された変換後の決済要求額を含むデビット決済要求を前記金融機関のサーバ装置に対して行う決済処理工程とを含んだことを特徴とする。
【００１７】
また、本発明は、遊技店に配設されたＡＴＭ端末装置から取引要求を受け付け、該受け付けた取引要求に応答して金融機関のサーバ装置が取引処理を行うＡＴＭシステムの取引処理方法であって、前記ＡＴＭ端末装置が、前記金融機関のサーバ装置に対してカード識別情報及び取引要求額を含む取引要求を行う取引要求工程と、前記金融機関のサーバ装置が、前記金融機関の口座残高がなくなった場合に自動借入する借入限度額とカード識別情報を対応づけた借入限度額テーブルに前記取引要求に含まれるカード識別情報が登録済みである場合に、該借入限度額テーブルに登録された借入限度額を前記取引要求に含まれる取引要求額に加算した額を新たな取引要求額とするように該取引要求に含まれる取引要求額を変換する取引要求額変換工程と、前記金融機関のサーバ装置が、前記取引要求額変換工程により変換された変換後の取引要求額の取引処理を行う取引処理工程とを含んだことを特徴とする。
【発明の効果】
【００１８】
本発明によれば、デビット決済要求に含まれるデビットカード識別情報に応じて該デビット決済要求に含まれる決済要求額を変換し、変換後の決済要求額を含むデビット決済要求を金融機関のサーバ装置に対して行うよう構成したので、デビットカードの種別に応じて決済要求額を変換することが可能となるため、借入機能付きデビットカードの場合と通常のデビットカードの場合とで異なる取り扱いとし、もって適正な口座残高が存在する場合には借入機能付きデビットカードを使用可能ならしめることができる。特に、金融機関の口座残高がなくなった場合に自動借入する借入限度額とデビットカード識別情報を対応づけた借入限度額テーブルを設けておき、デビット決済要求に含まれるデビットカード識別情報が借入限度額テーブルに登録済みである場合に、該借入限度額テーブルに登録された借入限度額をデビット決済要求に含まれる決済要求額に加算した額を新たな決済要求額とするよう構成したので、借入機能付きデビットカードについては、その借入限度額を決済要求額に加算した額で決済要求することにより、借入限度額と決済要求額の和以上の口座残高が存在する場合にのみ決済可能として取り扱うことが可能となる。
【００２０】
また、本発明によれば、取引要求に含まれるカード識別情報に応じて該取引要求に含まれる取引要求額を変換し、変換後の取引要求額の取引処理を行うよう構成したので、カードの種別に応じて取引要求額を変換することが可能となるため、借入機能付きカードの場合と通常のカードの場合とで異なる取り扱いとし、もって適正な口座残高が存在する場合には借入機能付きカードを遊技店内のＡＴＭ端末装置で使用可能ならしめ、のめり込み防止を図りつつパチンコ店内でＡＴＭを利用することができる。特に、金融機関の口座残高がなくなった場合に自動借入する借入限度額とカード識別情報を対応づけた借入限度額テーブルを設けておき、取引要求に含まれるカード識別情報が借入限度額テーブルに登録済みである場合に、該借入限度額テーブルに登録された借入限度額を取引要求に含まれる取引要求額に加算した額を新たな取引要求額とするよう構成したので、借入機能付きカードについては、その借入限度額を取引要求額に加算した額で取引要求することにより、借入限度額と取引要求額の和以上の口座残高が存在する場合にのみ取引可能として取り扱うことが可能となる。
【発明を実施するための最良の形態】
【００２４】
以下の添付図面を参照して、本発明に係る情報処理センタのサーバ装置、金融機関のサーバ装置、デビット決済システムの決済処理方法及びＡＴＭシステムの取引処理方法の好適な実施例を詳細に説明する。なお、以下に示す実施例１では、本発明をデビット決済システムに適用した場合を示し、実施例２では、本発明をＡＴＭシステムに適用した場合を示すこととする。
【実施例１】
【００２５】
まず、本実施例１に係るデビット決済システムのシステム構成について説明する。図１は、本実施例１に係るデビット決済システムのシステム構成を示すブロック図である。以下では、最初にパチンコ店Ａ〜Ｃ内の装置構成を説明した後に、デビット決済システムを形成する各構成部について説明することとする。
【００２６】
図１に示すように、パチンコ店Ａには、プリペイドカードＴ／Ｃ１０、島コントローラ２０、ＣＲユニット３０、パチンコ機４０、カード発行機５０及びデビット子機６０が配設されている。なお、ここでは説明の便宜上、パチンコ店Ａの構成のみを示すこととするが、パチンコ店Ｂ及びＣも同様の構成となる。
【００２７】
プリペイドカードＴ／Ｃ１０は、プリペイドカードの残度数を管理する管理装置であり、島コントローラ２０は各島毎に設けられる中継装置である。ＣＲユニット３０は、プリペイドカードＴ／Ｃ１０に対してプリペイドカードの残度数の問合せ、追加入金による度数加算要求並びに玉貸しによる度数減算要求を行うカード処理ユニットであり、パチンコ機４０は、パチンコ玉を遊技領域に発射して遊技者がパチンコ遊技を行ういわゆるＣＲパチンコ機である。
【００２８】
カード発行機５０は、入金金額分の度数を価値付けたプリペイドカードを発行する装置であり、具体的には、遊技客がカード発行機５０の紙幣挿入口に紙幣を挿入して金額ボタンを押下操作すると、この金額分の度数が価値付けられたプリペイドカードが発行される。かかるプリペイドカードの発行に伴い、該プリペイドカードのカードＩＤと残度数が、プリペイドカードＴ／Ｃ１０で管理される。なお、このカード発行機５０は、プリペイドカードの新規発行を行うだけではなく、挿入された会員カードに度数を価値付けることもできる。
【００２９】
デビット子機６０は、デビット決済を行う際に利用される端末装置であり、カード発行機５０に併設されている。かかるデビット子機６０が設けられる理由は、遊技客が現金ではなく銀行口座の口座残高を利用してプリペイドカードを購入できるようにするためである。遊技客が、かかるデビット子機６０のカード挿入口にデビットカードを挿入して暗証番号及び決済要求金額を入力すると、このデビット子機６０から公衆回線網１００を介して情報処理センタサーバ１１０に対して決済要求がなされ、デビット決済完了後に決済要求金額分の度数を価値付けたプリペイドカードをカード発行機５０から発行することが可能となる。このように、パチンコ店Ａには、デビット子機６０が配設されるわけであるが、パチンコ店Ｂ及びＣにおいても同様にデビット子機６０がそれぞれ配設され、デビットカードを利用したプリペイドカードの購入が可能となっている。
【００３０】
次に、上記デビット子機６０を含むデビット決済システムのシステム構成について説明する。図１に示すように、デビット子機６０は、公衆回線網１００を介して情報処理センタサーバ１１０に接続されており、この情報処理センタサーバ１１０は、図示しないクリアリングセンタを内在するＣＡＦＩＳ（Credit  and  Finance  Information  System）ネットワーク１２０を介して銀行サーバＸ及びＹと接続されている。この銀行サーバＸは、デビットカード発行銀行のサーバ装置であり、銀行サーバＹは、加盟店銀行のサーバ装置である。
【００３１】
情報処理センタサーバ１１０は、デビット子機６０からのデビット決済要求を受け付ける情報処理センタ内に設けられたサーバ装置であり、原則としてはデビット決済要求をそのまま銀行サーバＸに対して通知する。ただし、遊技客のパチンコ遊技への過度なのめり込み防止を図るため、パチンコ店に設置されたデビット子機６０からのデビット決済要求である場合は、このデビット決済要求の金額を含む所定期間内の決済合計金額が所定の利用上現金額を超える場合には、デビット決済要求を銀行サーバＸに対して通知せずにデビット決済要求を棄却する。なお、デビット決済要求を行ったデビット子機６０がパチンコ店に設置されたものであるか否かは、デビット子機６０を設置した際に登録された情報に基づいて判断される。
【００３２】
銀行サーバＸは、情報処理センタサーバ１１０からデビット決済要求を受け付けたならば、遊技客の口座からデビット決済要求額を引き落とせるか否かを確認し、口座残高が不足しているような場合には「決済不可」を情報処理センタサーバ１１０に対して通知する。一方、遊技客の口座から決済要求額を引き落すことができる場合には、該遊技客の口座残高の決済要求額分を引き落とす。この金額は所定の処理を経て銀行サーバＹのパチンコ店の口座に振り込まれる。なお、必要に応じて手数料が情報処理センタの口座に振り込まれる場合もある。
【００３３】
上記構成を有するデビット決済システムを用いることにより、デビット子機６０から情報処理センタサーバ１１０を介して銀行サーバＸに対してデビット決済要求を行い、決済可能である場合に決済要求額を銀行サーバＹのパチンコ店の口座に振込処理することが可能となる。
【００３４】
ここで、本実施例１は、デビットカードが「借入機能（カードローン）付」である場合であっても、円滑かつ適正にデビット決済を実施できるようにした点にその特徴がある。ここで言う「借入機能（カードローン）」とは、口座残高がマイナスになったとしても、カードローン上限（例えば１０万円）までは自動的に金融機関から借り入れることができるものである。
【００３５】
従来は、カードローン分の決済をパチンコ店で認めることは「のめり込み防止」の観点から望ましくないため、かかるカードローン付デビットカードは、デビット決済の処理対象外とされてきた。しかしながら、カードローン付デビットカードであっても、その口座残高が十分存在する場合には、通常のデビットカードと区別することに意味はなく、従来のように区別すると却ってカードローン付きデビットカードを不利に取り扱うことになってしまう。昨今の状況を見ると、カードローン付きデビットカードが普及しつつあるため、本実施例１では、このカードローン付きデビットカードによる適正なデビット決済での利用を可能にすることを目的としたのである。
【００３６】
上記目的を達成するため、本実施例１では、情報処理センタサーバ１１０にデビットカードの種別とカードローン上限額を対応付けたカードローン上限額テーブル１１３ａを記憶しておき、デビット子機６０からデビット決済要求がなされた際に、このデビット決済の決済要求額にカードローン上限額を加えた額を新たな決済要求額として銀行サーバＸにデビット決済要求するよう構成している。
【００３７】
このようにすることにより、少なくとも「決済要求額＋カードローン上限額」以上の口座残高がない限りデビット決済が許容されないため、口座残高がマイナスとなるデビット決済を禁止して遊技への過度なのめり込みを防止しつつ、口座残高がプラスである場合には、遊技客は通常のデビットカードと同様にカードローン付きデビットカードを使うことが可能となり、その利便性を大幅に向上させることが可能となる。
【００３８】
次に、図１に示した情報処理センタサーバ１１０の構成について説明する。図２は、図１に示した情報処理センタサーバ１１０の構成を示す機能ブロック図である。同図に示すように、情報処理センタサーバ１１０は、インタフェース部１１１と、インタフェース部１１２と、記憶部１１３と、制御部１１４とを有する。
【００３９】
インタフェース部１１１は、公衆回線網１００を介してデビット子機６０とデータ通信を行うためのインタフェースであり、インタフェース部１１２は、ＣＡＦＩＳネットワーク１２０を介して銀行サーバＸとデータ通信を行うためのインタフェースである。
【００４０】
記憶部１１３は、ハードディスク装置や不揮発性メモリ等からなる記憶デバイスであり、カードローン上限額テーブル１１３ａ、利用制限設定テーブル１１３ｂ及び利用実績テーブル１１３ｃを記憶する。
【００４１】
カードローン上限額テーブル１１３ａは、デビットカードの種別毎にカードローン上限額を記憶するテーブルである。図３は、図２に示したカードローン上限額テーブル１１３ａの一例を示す図であり、ここでは金融機関コード、カード種別コード及びカードローン上限額を対応づけて記憶する場合を示している。金融機関コード「１０００５」の銀行により発行されたカード種別コード「１２３」のデビットカードが、カードローン付きデビットカードであり、そのカードローン上限額が２０万円である場合を示している。
【００４２】
同様に、同銀行により発行されたカード種別コード「２２３」のデビットカードのカードローン上限額が３０万円であり、金融機関コード「１００１２」の銀行により発行されたカード種別コード「２１０」のデビットカードのカードローン上限額が１０万円であり、同銀行により発行されたカード種別コード「２１１」のデビットカードのカードローン上限額が２０万円である場合を示している。
【００４３】
利用制限設定テーブル１１３ｂは、所定の期間（例えば１日）の利用制限額を記憶するテーブルである。図４は、図２に示した利用制限設定テーブル１１３ｂの一例を示す図であり、ここではカード種別コードごとに利用上限金額を記憶する場合を示している。カード種別コード「１２３」のデビットカードの１日あたりの利用上限金額は「１００００円」であり、カード種別コード「２２３」のデビットカードの１日あたりの利用上限金額が「３００００円」である状況を示している。
【００４４】
利用実績テーブル１１３ｃは、所定の期間（例えば１日）のデビットカード毎の累積決済金額を記憶するテーブルである。図５は、図２に示した利用実績テーブル１１３ｃの一例を示す図であり、ここではデビットカードの口座番号毎に累積決済金額及び利用回数を記憶する場合を示している。口座番号「１２３−４５６７８９００」の１日の累積決済金額が「５０００円」、利用回数が「１回」であり、口座番号「２２３−４５６９８７１１」の１日の累積決済金額が「１５０００円」、利用回数が「２回」である状況を示している。なお、ここでは、デビットカードの利用回数に制限を設けた場合を想定していないが、利用制限設定テーブル１１３ｂに利用回数の項目を設けて利用回数を制限するよう構成することもできる。
【００４５】
制御部１１４は、情報処理センタサーバ１１０の全体制御を行う制御部であり、決済処理部１１４ａと、決済要求額変換部１１４ｂと、利用制限判定部１１４ｃとを有する。決済処理部１１４ａは、デビット決済に係る各種処理を行う処理部であり、デビット子機６０からデビット決済要求を受け付けた場合に、このデビット決済要求に含まれるデビットカードの銀行サーバＸに対してデビット決済要求を行う。ただし、このデビットカードがカードローン上限額テーブル１１３ａに登録されたカードローン付きデビットカードである場合には、決済要求額変換部１１４ｂで変換された決済要求額を含むデビット決済要求を行うことになる。また、利用制限判定部１１４ｃにより利用制限対象になると判定された場合には、銀行サーバＸに対するデビット決済要求は行わない。
【００４６】
決済要求額変換部１１４ｂは、デビット決済要求に含まれるデビットカードがカードローン上限額テーブル１１３ａに登録されている場合に、カードローン上限額テーブル１１３ａから該デビットカードに対応するカードローン上限額を取り出し、取り出したカードローン上限額を決済要求額に加えた額を新たな決済要求額とする変換処理部である。かかる決済要求額の変換処理を行う理由は、カードローン付きデビットカードについて、口座残高がマイナスとなる可能性がある場合にはデビット決済を許容しないこととして、パチンコ遊技への過度なのめり込みを防止するためである。
【００４７】
利用制限判定部１１４ｃは、デビット決済要求が利用制限の対象となるか否かを判定する処理部であり、利用制限の対象となる場合には、決済処理部１１４ａによる銀行サーバＸへのデビット決済要求は行われない。具体的には、利用実績テーブル１１３ｃ内の累積決済金額に今回の決済要求額を加算した額が、利用制限設定テーブル１１３ｂの利用上限金額以下であるか否かを判定することになる。
【００４８】
次に、図１に示したデビット子機６０によるデビット決済要求からプリペイドカードの発行までの一連の処理手順について説明する。図６は、図１に示したデビット子機６０によるデビット決済要求からプリペイドカードの発行までの一連の処理手順を示すフローチャートである。
【００４９】
同図に示すように、デビット子機６０が所定のカード挿入口から受け入れたデビットカードのカード情報を読み取るとともに（ステップＳ１０１）、決済要求額を受け付け（ステップＳ１０２）、暗証番号入力等の決済開始操作を受け付けたならば（ステップＳ１０３）、デビットカードの口座番号と決済要求額を含むデビット決済要求を情報処理センタサーバ１１０に対して行う（ステップＳ１０４）。なお、ここではその詳細な説明は省略するが、かかるデビット決済要求には暗証番号が含まれており、この暗証番号を用いた認証処理が行われる。
【００５０】
このデビット決済要求を受信した情報処理センタサーバ１１０は、利用実績テーブル１１３ｃから口座番号に対応する累積決済金額を読み出すとともに（ステップＳ１０５）、利用制限設定テーブル１１３ｂからカード種別に対応する利用上限金額を読み出し（ステップＳ１０６）、この累積決済金額に今回の決済要求額を加えた額（累積決済金額＋決済要求額）が利用上限金額以下であるか否かを調べる（ステップＳ１０７）。その結果、利用上限金額を超える場合には（ステップＳ１０７否定）、デビット子機６０に対して決済不可通知を行い（ステップＳ１０８）、デビット子機６０の表示部に決済不可が表示される（ステップＳ１０９）。
【００５１】
これに対して、累積決済金額と決済要求額の和が利用上限金額以下である場合には（ステップＳ１０７肯定）、デビットカードがカードローン付きであるか否かを判定し（ステップＳ１１０）、カードローン付きである場合には（ステップＳ１１０肯定）、決済要求額の変換を行い（ステップＳ１１１）、カードローン付きでない場合には（ステップＳ１１０否定）、そのままステップＳ１１２に移行する。
【００５２】
具体的には、情報処理センタサーバ１１０は、デビット決済要求を受けたデビットカードのカード種別がカードローン上限額テーブル１１３ａに登録されているか否かを確認し、登録済みである場合にはカードローン付きであると判定することになる。また、決済要求額の変換については、デビット決済要求に含まれる決済要求額にカードローン上限額を加えた額を新たなデビット要求額にすることになる。
【００５３】
その後、情報処理センタサーバ１１０は、銀行サーバＸに対してデビット決済要求を行い（ステップＳ１１２）、銀行サーバＸがデビット決済を実行して（ステップＳ１１３）、デビット決済結果が情報処理センタサーバ１１０に通知されることになる（ステップＳ１１４）。このデビット決済要求には、決済可否を確認したい確認金額と、決済可能な場合に実際に決済を行う決済金額が含まれる。決済要求額が変更されていないときは、確認金額と決済金額とも同じ決済要求額となっている。一方、決済要求額が変更されたときは、変更後の決済要求額が確認金額とされ、元の決済要求額が決済金額とされる。そして、銀行サーバＸは、遊技客の口座から確認金額を引き落とせるか否かを確認し、引き落とせない場合には「決済不可」を示すデビット決済結果を情報処理センタサーバ１１０に送信し、引き落とせる場合には「決済ＯＫ」を示すデビット決済結果を情報処理センタサーバ１１０に送信するとともに決済金額を引き落とす。
【００５４】
そして、情報処理センタサーバ１１０は、銀行サーバＸから受信したデビット決済結果が「決済ＯＫ」であるか否かを確認し（ステップＳ１１５）、デビット決済結果が「決済不可」である場合には（ステップＳ１１５否定）、デビット子機６０に対して決済不可通知を行い（ステップＳ１１６）、デビット子機６０の表示部に決済不可を表示する（ステップＳ１１７）。
【００５５】
一方、デビット決済結果が「決済ＯＫ」である場合には（ステップＳ１１５肯定）、利用実績テーブル１１３ｃの累積決済金額及び利用回数を更新した後（ステップＳ１１８）、デビット子機６０に対してデビット決済完了通知を行い（ステップＳ１１９）、この通知を受けたデビット子機６０は、デビットカードを返却するとともに（ステップＳ１２０）、カード発行機５０に対して決済金額を通知する（ステップＳ１２１）。この通知を受けたカード発行機５０は、決済金額分の度数を価値付けたプリペイドカードを発行処理する（ステップＳ１２２）。
【００５６】
上述してきたように、本実施例１では、情報処理センタサーバ１１０にデビットカードの種別とカードローン上限額を対応付けたカードローン上限額テーブル１１３ａを記憶しておき、デビット子機６０からデビット決済要求がなされた際に、このデビット決済の決済要求額にカードローン上限額を加えた額を新たな決済要求額として銀行サーバＸにデビット決済要求するよう構成したので、少なくとも「決済要求額＋カードローン上限額」以上の口座残高がない限りデビット決済が許容されないため、口座残高がマイナスとなるデビット決済を禁止して遊技への過度なのめり込みを防止しつつ、口座残高がプラスである場合には、遊技客は通常のデビットカードと同様にカードローン付きデビットカードを使うことが可能となり、その利便性を大幅に向上させることが可能となる。
【００５７】
なお、上記実施例１では、デビット子機６０とカード発行機５０を別体とした場合を示したが、本発明はこれに限定されるものではなく、両者を一体化したデビット対応カード発行機や、貨幣処理機能を有さないデビット専用カード発行機にも同様に適用することができる。
【実施例２】
【００５８】
ところで、上記実施例１では、本発明をデビット決済システムに適用した場合を示したが、本発明はパチンコ店にＡＴＭ端末（以下「パチンコＡＴＭ」と言う）を配設する場合に適用することもできる。そこで、本実施例２では、パチンコ店ＡにパチンコＡＴＭ２００を配設する場合を示すこととする。
【００５９】
図７は、本実施例２に係るデビット決済システムのシステム構成を示す図である。同図に示すように、パチンコ店Ａには、デビット決済システムとは別個にパチンコＡＴＭ２００が配設されており、このパチンコＡＴＭ２００は銀行サーバＸに接続されている。
【００６０】
つまり、このパチンコＡＴＭ２００は、銀行やコンビニエンスストアに配設されるＡＴＭ端末と同様の銀行端末であり、銀行カードを挿入して暗証番号及び取引金額が入力された際に取引金額分の現金を払い出す装置である。
【００６１】
ここで、このパチンコＡＴＭ２００は、通常のＡＴＭと異なりパチンコ店内に配設される装置であるので、パチンコ遊技への過度なのめり込みを助長するものであってはならない。特に、金融機関により発行されるキャッシュカード（デビットカード）は、上述した通りカードローン付きのものが多いため、遊技客がカードローン上限額まで借り受けるような事態は未然に防ぐ必要がある。
【００６２】
このため、本実施例２に係る銀行サーバＸでは、パチンコＡＴＭ２００から取引要求（口座残高からの引出要求）を受け付けた際に、取引要求額にカードローン上限額を加算した額についての取引が可能であるか否かを判定し、かかる取引が可能である場合にのみ、元の取引要求額の取引を行えるようにしている。したがって、この銀行サーバＸは、図２に示したカードローン上限額テーブル１１３ａ並びに決済要求額変換部１１４ｂに相当する処理部が設けられている。
【００６３】
また、このパチンコＡＴＭ２００では、所定の期間（例えば１日）に使用できる取引上限額を設けておき、累積取引額が取引上限額以内である場合にのみ取引を行えるようにして、遊技への過度なのめり込み防止を図っている。このため、銀行サーバＸは、図２に示した利用制限設定テーブル１１３ｂ及び利用実績テーブル１１３ｃ並びに利用制限判定部１１４ｃに対応する処理部が設けられている。
【００６４】
次に、図７に示したパチンコＡＴＭ２００と銀行サーバＸとの間の取引処理手順について説明する。図８は、パチンコＡＴＭ２００と銀行サーバＸとの間の取引処理手順を示すフローチャートである。同図に示すように、パチンコＡＴＭ２００は、所定のカード挿入口に挿入されたキャッシュカードのカード情報を読み取るとともに（ステップＳ２０１）、取引要求額（引出額）を受け付け（ステップＳ２０２）、暗証番号入力等の取引開始操作を受け付けたならば（ステップＳ２０３）、口座番号及び取引額を含む取引要求を銀行サーバＸに対して行う（ステップＳ２０４）。
【００６５】
この取引要求を受信した銀行サーバＸは、利用実績テーブル１１３ｃから口座番号に対応する累積取引金額を読み出すとともに（ステップＳ２０５）、利用制限設定テーブル１１３ｂから利用上限金額を読み出し（ステップＳ２０６）、累積取引金額に今回の取引要求額を加算した額が利用上限金額以下であるか否かを判定する（ステップＳ２０７）。その結果、利用上限金額を超える場合には（ステップＳ２０７否定）、パチンコＡＴＭ２００に対して取引不可通知を行う（ステップＳ２０８）。パチンコＡＴＭ２００が、取引不可通知を受けた場合には（ステップＳ２１３肯定）、その旨を表示してキャッシュカードを返却する（ステップＳ２１４）。
【００６６】
これに対して、利用上限金額以下である場合には（ステップＳ２０７肯定）、キャッシュカードがカードローン付きであるか否かを判定し（ステップＳ２０９）、カードローン付きである場合には（ステップＳ２０９肯定）、取引要求額の変換を行い（ステップＳ２１０）、カードローン付きでない場合には（ステップＳ２０９否定）、そのままステップＳ２１１に移行する。
【００６７】
具体的には、銀行サーバＸは、取引要求を受けたキャッシュカードのカード種別がカードローン上限額テーブル１１３ａに登録されているか否かを確認し、登録済みである場合にはカードローン付きであると判定することになる。また、取引要求額の変換については、取引要求に含まれる取引要求額にカードローン上限額を加えた額を新たな取引要求額にすることになる。
【００６８】
その後、銀行サーバＸは、取引要求額の取引が可能であるか否かを判定し（ステップＳ２１１）、取引可能でない場合には（ステップＳ２１１否定）、パチンコＡＴＭ２００に対して取引不可通知を行う（ステップＳ２１２）。具体的には、銀行サーバＸは、遊技客の口座から取引要求額を引き落とせるか否かを確認し、引き落とせない場合には取引不可と判定する。パチンコＡＴＭ２００が、取引不可通知を受けた場合には（ステップＳ２１３肯定）、その旨を表示してキャッシュカードを返却する（ステップＳ２１４）。
【００６９】
これに対して、取引可能である場合には（ステップＳ２１１肯定）、取引要求額を口座残高から引き落とす取引処理を行い（ステップＳ２１５）、利用実績テーブル１１３ｃの累積取引金額及び利用回数を更新して（ステップＳ２１６）、パチンコＡＴＭ２００に取引完了通知を行う（ステップＳ２１７）。なお、取引要求額が変更された場合に、実際に引落処理する金額は、変更後の取引要求額ではなく元の取引要求額である。
【００７０】
そして、パチンコＡＴＭ２００は、取引完了通知を受信しなかった場合には（ステップＳ２１８否定）、表示部にエラー表示を行い（ステップＳ２１９）、取引完了通知を受信した場合には（ステップＳ２１８肯定）、取引額分の貨幣を払い出した後に（ステップＳ２２０）、表示部に取引完了表示を行って（ステップＳ２２１）、キャッシュカードを返却する（ステップＳ２２２）。
【００７１】
上述してきたように、本実施例２では、銀行サーバＸにキャッシュカードの種別とカードローン上限額を対応付けたカードローン上限額テーブル１１３ａを記憶しておき、パチンコＡＴＭ２００から取引要求がなされた際に、この取引要求額にカードローン上限額を加えた額を新たな取引要求額として取引処理するよう構成したので、少なくとも「取引要求額＋カードローン上限額」以上の口座残高がない限り取引が許容されないため、口座残高がマイナスとなるカードローンの利用を禁止して遊技への過度なのめり込みを防止しつつ、口座残高がプラスである場合には、遊技客は通常の場合と同様にパチンコＡＴＭ２００でもカードローン付きデビットカードを使うことが可能となり、その利便性を大幅に向上させることが可能となる。
【００７２】
なお、上記実施例１及び２では、本発明をパチンコ遊技に適用する場合を示したが、本発明はこれに限定されるものではなく、パチスロ遊技を対象とする場合にも同様に適用することができる。また、ゲームセンタ等の遊技施設にも適用することができる。
【産業上の利用可能性】
【００７３】
以上のように、本発明に係る情報処理センタのサーバ装置、金融機関のサーバ装置、デビット決済システムの決済処理方法及びＡＴＭシステムの取引処理方法は、借入機能付カードの利用制限を適正かつ効率良く行う場合に適している。
【図面の簡単な説明】
【００７４】
【図１】図１は、本実施例１に係るデビット決済システムのシステム構成を示すブロック図である。
【図２】図２は、図１に示した情報処理センタサーバの構成を示す機能ブロック図である。
【図３】図３は、図２に示したカードローン上限額テーブルの一例を示す図である。
【図４】図４は、図２に示した利用制限設定テーブルの一例を示す図である。
【図５】図５は、図２に示した利用実績テーブルの一例を示す図である。
【図６】図６は、図１に示したデビット子機によるデビット決済要求からプリペイドカードの発行までの一連の処理手順を示すフローチャートである。
【図７】図７は、本実施例２に係るデビット決済システムのシステム構成を示す図である。
【図８】図８は、図７に示したパチンコＡＴＭと銀行サーバとの間の取引処理手順を示すフローチャートである。
【符号の説明】
【００７５】
Ａ，Ｂ，Ｃ    パチンコ店
Ｘ，Ｙ    銀行サーバ
１０    プリペイドカードＴ／Ｃ
２０    島コントローラ
３０    ＣＲユニット
４０    パチンコ機
５０    カード発行機
６０    デビット子機
１００    公衆回線網
１１０    情報処理センタサーバ
１１１    インタフェース部
１１２    インタフェース部
１１３    記憶部
１１３ａ    カードローン上限額テーブル
１１３ｂ    利用制限設定テーブル
１１３ｃ    利用実績テーブル
１１４    制御部
１１４ａ    決済処理部
１１４ｂ    決済要求額変換部
１１４ｃ    利用制限判定部
１２０    ＣＡＦＩＳネットワーク
２００    パチンコＡＴＭ
【図１】
0005226364.tif 000002
【図２】
0005226364.tif 000003
【図３】
0005226364.tif 000004
【図４】
0005226364.tif 000005
【図５】
0005226364.tif 000006
【図６】
0005226364.tif 000007
【図７】
0005226364.tif 000008
【図８】
0005226364.tif 000009